(57)【特許請求の範囲】
【請求項１】
近距離無線通信を介した移動通信端末と終端端末との間の接続を制御するＣＰＮＳサーバおよび近距離無線通信を介して移動通信端末から提供されるコンテンツを起動するための終端端末と無線通信網を介して接続されて、モバイルウェブまたはＷＡＰサービスの利用中に、コンテンツ提供サーバに記憶されているコンテンツを終端端末に受け渡すための移動通信端末であって、
ユーザーによりコンテンツ受渡要請キーが選択されれば、モバイルウェブまたはＷＡＰサービスの利用中に現在起動されるコンテンツを近距離無線通信網を介して終端端末に受渡せよとの要請として認識して、以降の動作を行わせるコンテンツ受渡要請キー信号認識部と、
前記ＣＰＮＳサーバから接続可能な終端端末一覧を要請・受信し、または、既に格納された接続可能な終端端末一覧を取出してユーザーが認識できるように提供する終端端末管理部と、
コンテンツ受渡要請が発生した当該時点で起動されていた、前記コンテンツ提供サーバに記憶されていて、前記終端端末の仕様を基に、変換され、受け渡されるべきコンテンツをＣＰＮＳサーバに要請・受信するコンテンツ管理部と、
前記終端端末一覧からユーザーにより選択された終端端末にコンテンツ管理部により受信されたコンテンツを送るコンテンツ伝送部と、
を備える移動通信端末。
【請求項２】
前記コンテンツが移動通信端末に格納された場合、
前記コンテンツ管理部は、
前記コンテンツ伝送部を介して既に格納されたコンテンツを取出してユーザーにより選択された終端端末に送ることを特徴とする請求項１に記載の移動通信端末。
【請求項３】
前記コンテンツ受渡要請キーは、移動通信端末に設けられている別途のキーまたはキーパッドの特定のキータイプであることを特徴とする請求項１に記載の移動通信端末。
【請求項４】
近距離無線通信網を介して終端端末が移動通信端末と最初に接続されることにより、前記終端端末の情報を当該移動通信端末と整合させて接続履歴情報として登録し、移動通信端末から送られてくる終端端末情報要請またはコンテンツ情報要請のうちいずれか一つを受信すれば、当該要請に関する返信情報を提供するＣＰＮＳサーバと、
モバイルウェブまたはＷＡＰサービスの利用中にコンテンツ受渡要請キー信号を受信すれば、隣り合う複数の終端端末のうち少なくともいずれか一つと近距離無線通信網を介して接続されてコンテンツ受渡要請キー信号の受信時に再生した当該コンテンツを終端端末に送る移動通信端末と、
近距離無線通信網を介して移動通信端末と情報を送受する終端端末と、
前記ＣＰＮＳサーバから送られてくるコンテンツ要請を受信すれば、前記コンテンツ要請と一緒に送られてくる終端端末の仕様を基にコンテンツのタイプを変換した後にこれをＣＰＮＳサーバに送るか、または、ＣＰＮＳサーバから取得した終端端末と整合された移動通信端末の番号を用いて移動通信端末に当該コンテンツを送るコンテンツ提供サーバと、
を備える近距離無線通信網を介してデータサービスを提供するためのコンテンツ提供システム。
【請求項５】
前記終端端末は、
近距離無線通信網と通信を行うための通信インタフェース部と、
ユーザーの選択により当該信号を受け取る入力部と、
通信インタフェース部を介して移動通信端末に特定のコンテンツを要請した後、当該コンテンツを受信するコンテンツ要請・受信部と、
コンテンツを起動する再生部と、
終端端末と関連する情報を格納する格納部と、
を備えることを特徴とする請求項４に記載の近距離無線通信網を介してデータサービスを提供するためのコンテンツ提供システム。
【請求項６】
移動通信網と通信を行うための通信インタフェース部と、
近距離無線通信網を介して終端端末と通信を行う移動通信端末の情報をデータベースに登録して管理する移動通信端末情報管理部と、
近距離無線通信網を介して移動通信端末と情報を送受する終端端末の情報をデータベースに登録・管理する終端端末情報管理部と、
移動通信端末と終端端末との間の接続情報を収集して接続履歴情報としてデータベースに格納・管理する履歴情報管理部と、
移動通信端末から送られてくるコンテンツ要請を受信すれば、コンテンツ要請と一緒に送られてきたコンテンツ識別情報を基にコンテンツを提供するサーバに当該コンテンツを要請・受信するコンテンツ要請・提供部と、
移動通信端末の要請に応じて、移動通信端末と接続可能な終端端末の一覧をデータベースから取出して提供する終端端末情報提供部と、
移動通信端末情報、終端端末情報をはじめとしてＣＰＮＳサーバと関連する情報を格納するデータベースと、
を備えるＣＰＮＳサーバ。
【請求項７】
前記コンテンツ要請・提供部は、
コンテンツを要請するとき、
コンテンツ名、終端端末のハードウェア仕様および終端端末のソフトウェア仕様を一緒に提供して終端端末において再生／ディスプレイ可能なフォーマットを選択して提供するか、または、再生／ディスプレイ可能なフォーマットに変換できるようにすることを特徴とする請求項６に記載のＣＰＮＳサーバ。
【請求項８】
前記移動通信端末の情報は、近距離無線通信網を介して終端端末と情報を送受するかどうかを示す同意有無状態、提供されたサービス一覧および接続された終端端末一覧をはじめとして終端端末との通信のために要求される情報を含み、
前記終端端末の情報は、ハードウェア仕様およびソフトウェア仕様をはじめとして近距離無線通信網を介してコンテンツを提供するために要求される情報を含むことを特徴とする請求項６または請求項７に記載のＣＰＮＳサーバ。
【請求項９】
ＣＰＮＳサーバ、移動通信端末、コンテンツ提供サーバ、終端端末を備えるコンテンツ提供システムにおいてモバイルウェブまたはＷＡＰサービスの利用中にコンテンツを終端端末に受け渡すための方法であって、
ａ）移動通信端末においてモバイルウェブまたはＷＡＰサービスの利用中にコンテンツ受渡要請キーが選択されれば、コンテンツ受渡要請として認識して移動通信端末がＣＰＮＳサーバに接続可能な終端端末一覧を要請するステップと、
ｂ）移動通信端末から送られてくるコンテンツおよび終端端末一覧要請に応じて、ＣＰＮＳサーバが既に格納された情報から前記移動通信端末と接続可能な終端端末を取出して送るステップと、
ｃ）ＣＰＮＳサーバが移動通信端末から前記終端端末一覧からユーザーにより選択された終端端末情報を受信すれば、コンテンツ提供サーバに当該終端端末の仕様情報と一緒に当該コンテンツを要請するステップと、
ｄ）コンテンツ提供サーバが前記ＣＰＮＳサーバから送られてくるコンテンツ伝送要請を受信すれば、前記コンテンツ伝送要請と一緒に送られてくる終端端末の仕様に基いて終端端末において再生可能なコンテンツをＣＰＮＳサーバに送るか、または、ＣＰＮＳサーバから取得した終端端末と整合された移動通信端末の番号を用いて当該コンテンツを移動通信端末に送るステップと、
を含む近距離無線通信網を介してデータサービスを提供するための方法。
【請求項１０】
前記ステップａ）前に、
近距離無線通信網を介して終端端末が移動通信端末と最初に接続されることにより、ＣＰＮＳサーバが前記終端端末の情報を当該移動通信端末と整合させて接続履歴情報として登録するステップをさらに含むことを特徴とする請求項９に記載の近距離無線通信網を介してデータサービスを提供するための方法。
【請求項１１】
前記ステップｄ）後に、
前記移動通信端末がＣＰＮＳサーバから受信したコンテンツを終端端末に送ることにより、前記ＣＰＮＳサーバが移動通信端末を介して終端端末から送られてくるコンテンツ受信確認メッセージを受信するステップをさらに含むことを特徴とする請求項９に記載の近距離無線通信網を介してデータサービスを提供するための方法。
【請求項１２】
移動通信端末およびコンテンツ提供サーバと接続されるＣＰＮＳサーバにおいて移動通信端末の要請に応じてモバイルウェブまたはＷＡＰサービスの利用中にコンテンツを終端端末に受け渡すための方法であって、
ａ）近距離無線通信網を介して終端端末が移動通信端末と最初に接続されることにより、ＣＰＮＳサーバが前記終端端末の情報を当該移動通信端末と整合させて接続履歴情報として登録するステップと、
ｂ）移動通信端末から送られてくるコンテンツ受渡要請に応じて、既に格納された情報から前記移動通信端末と接続可能な終端端末を取出して送るステップと、
ｃ）ＣＰＮＳサーバが移動通信端末から前記終端端末一覧からユーザーにより選択された終端端末情報を受信すれば、コンテンツ提供サーバに当該コンテンツを要請するステップと、
ｄ）ＣＰＮＳサーバがコンテンツ提供サーバから送られてくるコンテンツを受信すれば、これを当該移動通信端末に送るステップと、
を含む近距離無線通信網を介してデータサービスを提供するための方法。
【請求項１３】
前記ステップａ）後に、
移動通信端末と終端端末との間の接続情報を収集して接続履歴情報にさらに登録するステップをさらに含むことを特徴とする請求項１２に記載の近距離無線通信網を介してデータサービスを提供するための方法。
【請求項１４】
前記ステップａ）において、
ＣＰＮＳサーバが近距離無線通信網を介して終端端末と情報を送受するかどうかを示す同意有無状態、提供されたサービス一覧および接続された終端端末一覧をはじめとして終端端末との通信のために要求される移動通信端末情報とハードウェア仕様およびソフトウェア仕様をはじめとして近距離無線通信網を介してコンテンツを提供するために要求される終端端末の情報を登録することを特徴とする請求項１２または請求項１３に記載の近距離無線通信網を介してデータサービスを提供するための方法。
【請求項１５】
前記ステップｃ）において、
前記ＣＰＮＳサーバがコンテンツ名、終端端末のハードウェア仕様および終端端末のソフトウェア仕様をコンテンツ提供サーバに送って終端端末において再生／ディスプレイ可能なフォーマットを選択して提供するか、または、再生／ディスプレイ可能なフォーマットに変換できるようにすることを特徴とする請求項１２または請求項１３に記載の近距離無線通信網を介してデータサービスを提供するための方法。
【請求項１６】
前記ステップｄ）後に、
前記移動通信端末がＣＰＮＳサーバから受信したコンテンツを終端端末に送ることにより、前記ＣＰＮＳサーバが移動通信端末を介して終端端末から送られてくるコンテンツ受信確認メッセージを受信するステップをさらに含むことを特徴とする請求項１２に記載の近距離無線通信網を介してデータサービスを提供するための方法。
【発明の詳細な説明】
【技術分野】
【０００１】
本発明は近距離無線通信網を介してデータサービスを提供するためのコンテンツ提供システムおよび方法と、このためのＣＰＮＳサーバと移動通信端末に係り、さらに詳しくは、移動通信端末上においてモバイルウェブまたはＷＡＰサービスを利用している間に当該コンテンツを近距離無線通信網を介して終端端末に提供するための近距離無線通信網を介してデータサービスを提供するためのコンテンツ提供システムおよび方法と、このためのＣＰＮＳサーバと移動通信端末に関する。
【背景技術】
【０００２】
最近の情報通信技術の発展には目を見張るものがあり、これに伴い、文書、画像および動画などを再生可能なＭＰ３（ＭＰｅｇ  ａｕｄｉｏ  ｌａｙｅｒ−３）プレーヤ、ＰＭＰ（Ｐｅｒｓｏｎａｌ  Ｍｕｌｔｉｍｅｄｉａ  Ｐｌａｙｅｒ）、ＵＭＰＣ（Ｕｌｔｒａ  Ｍｏｂｉｌｅ  Ｐｅｒｓｏｎａｌ  Ｃｏｍｐｕｔｅｒ）などの様々な終端端末が使用されている。
【０００３】
この種の終端端末は、ユーザーが所望のコンテンツをＰＣ（Ｐｅｒｓｏｎａｌ  Ｃｏｍｐｕｔｅｒ）からダウンロードして再生するが、ユーザーが移動中であるか、あるいは、ＰＣと接続できない状況では所望のコンテンツのダウンロードが不可能であるという問題がある。
【０００４】
かような問題を解決するために、終端端末にブルートゥース、ＵＷＢ（Ｕｌｔｒａ  Ｗｉｄｅ  Ｂａｎｄ）などの近距離通信網に接続可能な通信手段を付加する技術が提案されている。
【０００５】
同技術によれば、近距離通信網を介して外部装置からコンテンツをダウンロードすることが可能である。しかしながら、同方法は、外部装置に格納されたコンテンツのダウンロードは可能であるとはいえ、ユーザーが希望するが外部装置には格納されていないコンテンツのダウンロードが不可能であるという問題が存在する。
【０００６】
なお、たとえ近距離無線通信を利用するとしても、既存の移動通信を用いて移動通信端末がサービスプロバイダーや移動通信社から提供されていたコンテンツまたはサービスを直接的に提供されることはできない。
【発明の概要】
【発明が解決しようとする課題】
【０００７】
上述した問題を解決するために、近距離無線通信を介してＰＭＰなどの終端端末を移動通信端末に接続させ、移動通信端末の移動通信機能を用いて既存のコンテンツサービスプロバイダーに接近する形で所望のサービスを提供できるようにするＣＰＮＳ技術を提案する。
【０００８】
一方、ユーザーが移動通信端末を用いてモバイルウェブまたはＷＡＰサービスを利用している間に当該コンテンツを終端端末に提供しようとする場合、当該技術が提供されないため不便さを感じる場合がしばしば発生していた。
【０００９】
本発明は上述した問題点を解消するためになされたものであり、移動通信端末上においてモバイルウェブまたはＷＡＰサービスを利用している間にユーザーが要請する特定のコンテンツを終端端末に提供するための近距離無線通信網を介してデータサービスを提供するためのコンテンツ提供システムおよび方法と、このためのＣＰＮＳサーバを提供するところにその技術的課題がある。
【００１０】
また、本発明の目的は、簡単なキー操作だけでも移動通信端末上において利用していたデータサービスを近距離通信網を介して終端端末に提供できるようにするための移動通信端末を提供することである。
【課題を解決するための手段】
【００１１】
上述した目的を達成するための本発明による移動通信端末は、近距離無線通信を介した移動通信端末と終端端末との間の接続を制御するＣＰＮＳサーバおよび近距離無線通信を介して移動通信端末から提供されるコンテンツを起動するための終端端末と無線通信網を介して接続されて、モバイルウェブまたはＷＡＰサービスの利用中にコンテンツを終端端末に受け渡すための移動通信端末であって、ユーザーによりコンテンツ受渡要請キーが選択されれば、モバイルウェブまたはＷＡＰサービスの利用中に現在起動されるコンテンツを近距離無線通信網を介して終端端末に受渡せよとの要請として認識して、以降の動作を行わせるコンテンツ受渡要請キー信号認識部と、前記ＣＰＮＳサーバから接続可能な終端端末一覧を要請・受信するか、または、既に格納された接続可能な終端端末一覧を取出してユーザーが認識できるように提供する終端端末管理部と、コンテンツ受渡要請が発生した当該時点に起動されていたコンテンツをＣＰＮＳサーバに要請・受信するコンテンツ管理部と、前記終端端末一覧からユーザーにより選択された終端端末にコンテンツ管理部により受信されたコンテンツを送るコンテンツ伝送部と、を備える。
【００１２】
好ましくは、前記コンテンツが移動通信端末に格納された場合、前記コンテンツ管理部は、前記コンテンツ伝送部を介して既に格納されたコンテンツを取出してユーザーにより選択された終端端末に送る。
【００１３】
好ましくは、前記コンテンツ受渡要請キーは、移動通信端末に設けられている別途のキーまたはキーパッドの特定のキータイプである。
【００１４】
本発明の他の態様によるコンテンツ提供システムは、近距離無線通信網を介して終端端末が移動通信端末と最初に接続されることにより、前記終端端末の情報を当該移動通信端末と整合させて接続履歴情報として登録し、移動通信端末から送られてくる終端端末情報要請またはコンテンツ情報要請のうちいずれか一つを受信すれば、当該要請に関する返信情報を提供するＣＰＮＳサーバと、モバイルウェブまたはＷＡＰサービスの利用中にコンテンツ受渡要請キー信号を受信すれば、隣り合う複数の終端端末のうち少なくともいずれか一つと近距離無線通信網を介して接続されてコンテンツ受渡要請キー信号の受信時に再生した当該コンテンツを終端端末に送る移動通信端末と、近距離無線通信網を介して移動通信端末と情報を送受する終端端末と、を備える。
【００１５】
好ましくは、前記コンテンツ提供システムは、前記ＣＰＮＳサーバから送られてくるコンテンツ要請を受信すれば、前記コンテンツ要請と一緒に送られてくる終端端末の仕様を基にコンテンツの形態を変換した後、これをＣＰＮＳサーバに送るか、または、ＣＰＮＳサーバから取得した終端端末と整合された移動通信端末の番号を用いて移動通信端末に当該コンテンツを送るコンテンツ提供サーバをさらに備える。
【００１６】
好ましくは、前記終端端末は、近距離無線通信網と通信を行うための通信インタフェース部と、ユーザーの選択により当該信号を受け取る入力部と、通信インタフェース部を介して移動通信端末に特定のコンテンツを要請した後、当該コンテンツを受信するコンテンツ要請・受信部と、コンテンツを起動する再生部と、終端端末と関連する情報を格納する格納部と、を備える。
【００１７】
本発明のさらに他の態様によるＣＰＮＳサーバは、移動通信網と通信を行うための通信インタフェース部と、近距離無線通信網を介して終端端末と通信を行う移動通信端末の情報をデータベースに登録して管理する移動通信端末情報管理部と、近距離無線通信網を介して移動通信端末と情報を送受する終端端末の情報をデータベースに登録・管理する終端端末情報管理部と、移動通信端末と終端端末との間の接続情報を収集して接続履歴情報としてデータベースに格納・管理する履歴情報管理部と、移動通信端末から送られてくるコンテンツ要請を受信すれば、コンテンツ要請と一緒に送られてきたコンテンツ識別情報を基にコンテンツを提供するサーバに当該コンテンツを要請・受信するコンテンツ要請・提供部と、移動通信端末の要請に応じて、移動通信端末と接続可能な終端端末の一覧をデータベースから取出して提供する終端端末情報提供部と、移動通信端末情報、終端端末情報をはじめとしてＣＰＮＳサーバと関連する情報を格納するデータベースと、を備える。
【００１８】
好ましくは、前記コンテンツ要請・提供部は、コンテンツを要請するとき、コンテンツ名、終端端末のハードウェア仕様および終端端末のソフトウェア仕様を一緒に提供して終端端末において再生／ディスプレイ可能なフォーマットを選択して提供するか、または、再生／ディスプレイ可能なフォーマットに変換できるようにする。
【００１９】
好ましくは、前記移動通信端末の情報は、近距離無線通信網を介して終端端末と情報を送受するかどうかを示す同意有無状態、提供されたサービス一覧および接続された終端端末一覧をはじめとして終端端末との通信のために要求される情報を含み、前記終端端末の情報は、ハードウェア仕様およびソフトウェア仕様をはじめとして近距離無線通信網を介してコンテンツを提供するために要求される情報を含む。
【００２０】
本発明のさらに他の態様による近距離無線通信網を介してデータサービスを提供するための方法は、ＣＰＮＳサーバ、移動通信端末、コンテンツ提供サーバ、終端端末を備えるコンテンツ提供システムにおいてモバイルウェブまたはＷＡＰサービスの利用中にコンテンツを終端端末に受け渡すための方法であって、ａ）移動通信端末においてモバイルウェブまたはＷＡＰサービスの利用中にコンテンツ受渡要請キーが選択されれば、コンテンツ受渡要請として認識して移動通信端末がＣＰＮＳサーバに接続可能な終端端末一覧を要請するステップと、ｂ）移動通信端末から送られてくるコンテンツおよび終端端末一覧要請に応じて、ＣＰＮＳサーバが既に格納された情報から前記移動通信端末と接続可能な終端端末を取出して送るステップと、ｃ）ＣＰＮＳサーバが移動通信端末から前記終端端末一覧からユーザーにより選択された終端端末情報を受信すれば、コンテンツ提供サーバに当該終端端末の仕様情報と一緒に当該コンテンツを要請するステップと、ｄ）コンテンツ提供サーバが前記ＣＰＮＳサーバから送られてくるコンテンツ伝送要請を受信すれば、前記コンテンツ伝送要請と一緒に送られてくる終端端末の仕様を考慮して終端端末において再生可能なコンテンツをＣＰＮＳサーバに送るか、または、ＣＰＮＳサーバから取得した終端端末と整合された移動通信端末の番号を用いて当該コンテンツを移動通信端末に送るステップと、を含む。
【００２１】
好ましくは、前記ステップａ）前に、近距離無線通信網を介して終端端末が移動通信端末と最初に接続されることにより、ＣＰＮＳサーバが前記終端端末の情報を当該移動通信端末と整合させて接続履歴情報として登録するステップをさらに含む。
【００２２】
好ましくは、前記ステップｄ）後に、前記移動通信端末がＣＰＮＳサーバから受信したコンテンツを終端端末に送ることにより、前記ＣＰＮＳサーバが移動通信端末を介して終端端末から送られてくるコンテンツ受信確認メッセージを受信するステップをさらに含む。
【００２３】
本発明のさらに他の態様による近距離無線通信網を介してデータサービスを提供するための方法は、移動通信端末およびコンテンツ提供サーバと接続されるＣＰＮＳサーバにおいて移動通信端末の要請に応じてモバイルウェブまたはＷＡＰサービスの利用中にコンテンツを終端端末に受け渡すための方法であって、ａ）近距離無線通信網を介して終端端末が移動通信端末と最初に接続されることにより、ＣＰＮＳサーバが前記終端端末の情報を当該移動通信端末と整合させて接続履歴情報として登録するステップと、ｂ）移動通信端末から送られてくるコンテンツ受渡要請に応じて、既に格納された情報から前記移動通信端末と接続可能な終端端末を取出して送るステップと、ｃ）ＣＰＮＳサーバが移動通信端末から前記終端端末一覧からユーザーにより選択された終端端末情報を受信すれば、コンテンツ提供サーバに当該コンテンツを要請するステップと、ｄ）ＣＰＮＳサーバがコンテンツ提供サーバから送られてくるコンテンツを受信すれば、これを当該移動通信端末に送るステップと、を含む。
【００２４】
好ましくは、前記ステップａ）後に、移動通信端末と終端端末との間の接続情報を収集して接続履歴情報にさらに登録するステップをさらに含む。
【００２５】
好ましくは、前記ステップａ）において、ＣＰＮＳサーバが近距離無線通信網を介して終端端末と情報を送受するかどうかを示す同意有無状態、提供されたサービス一覧および接続された終端端末一覧をはじめとして終端端末との通信のために要求される移動通信端末情報とハードウェア仕様およびソフトウェア仕様をはじめとして近距離無線通信網を介してコンテンツを提供するために要求される終端端末の情報を登録する。
【００２６】
好ましくは、前記ステップｃ）において、前記ＣＰＮＳサーバがコンテンツ名、終端端末のハードウェア仕様および終端端末のソフトウェア仕様をコンテンツ提供サーバに送って終端端末において再生／ディスプレイ可能なフォーマットを選択して提供するか、または、再生／ディスプレイ可能なフォーマットに変換できるようにする。
【００２７】
好ましくは、前記ステップｄ）後に、前記移動通信端末がＣＰＮＳサーバから受信したコンテンツを終端端末に送ることにより、前記ＣＰＮＳサーバが移動通信端末を介して終端端末から送られてくるコンテンツ受信確認メッセージを受信するステップをさらに含む。
【００２８】
本発明のさらに他の態様による近距離無線通信網を介してデータサービスを提供するための方法は、ＣＰＮＳサーバおよび終端端末と接続された移動通信端末においてモバイルウェブまたはＷＡＰサービスの利用中にコンテンツを終端端末に受け渡すための方法であって、ａ）移動通信端末がモバイルウェブまたはＷＡＰサービスの利用中にコンテンツ受渡要請キーが選択されれば、コンテンツ受渡要請として認識するステップと、ｂ）前記ＣＰＮＳサーバから接続可能な終端端末一覧を要請・受信するか、または、既に格納された接続可能な終端端末一覧を取出してユーザーが認識できるように画面上に出力するステップと、ｃ）終端端末一覧からユーザーにより選択された終端端末と接続されて、コンテンツ受渡要請キーの入力時に起動されていたコンテンツを送るステップと、を含む。
【００２９】
好ましくは、ＣＰＮＳサーバにコンテンツを要請する場合、前記ステップｃ）前に、前記ＣＰＮＳサーバにコンテンツを要請・受信するステップをさらに含む。
【００３０】
好ましくは、移動通信端末にコンテンツが格納された場合、前記ステップｃ）は、既に格納された情報からコンテンツ受渡要請キーの入力時に起動されていたコンテンツを取出してユーザーにより選択された終端端末に送るステップである。
【発明の効果】
【００３１】
本発明の近距離無線通信網を介してデータサービスを提供するためのコンテンツ提供システムおよび方法と、このためのＣＰＮＳサーバは、移動通信端末上においてモバイルウェブまたはＷＡＰサービスを利用している間にユーザーが要請する特定のコンテンツを移動通信網との通信機能が設けられていない終端端末に提供することができるという効果を期待することができる。
【００３２】
また、本発明の移動通信端末は、簡単なキー操作だけでも移動通信端末上において利用していたデータサービスを近距離通信網を介して終端端末に提供することができるというメリットがある。
【図面の簡単な説明】
【００３３】
【図１】図１は、本発明に係るコンテンツ提供システムと通信網との接続関係を示す図であり、
【図２】図２は、本発明に係るＣＰＮＳサービスのための初期設定方法を説明するためのフローチャートであり、
【図３】図３は、本発明に係るＣＰＮＳサーバの構成を示す図であり、
【図４】図４は、本発明に係る移動通信端末の構成を示す図であり、
【図５】図５は、本発明に係るコンテンツ提供サーバの構成を示す図であり、
【図６】図６は、本発明に係る終端端末の構成を示す図であり、
【図７】図７は、本発明に係るコンテンツ提供方法の一例を説明するためのフローチャートであり、
【図８】図８は、本発明に係るコンテンツ提供方法の他の例を説明するためのフローチャートであり、
【図９】図９は、本発明に係るコンテンツ提供方法のさらに他の例を説明するためのフローチャートである。
【発明を実施するための形態】
【００３４】
本発明において開示するＣＰＮＳ（Ｃｏｎｖｅｒｇｅｄ  Ｐｅｒｓｏｎａｌ  Ｎｅｔｗｏｒｋ  Ｓｅｒｖｉｃｅ）サービスとは、近距離無線通信のみ可能であるだけで、移動通信網との移動通信が不可能な携帯用端末がＰＮ（Ｐｅｒｓｏｎａｌ  Ｎｅｔｗｏｒｋ  Ｓｅｒｖｉｃｅ）ゲートウェイの役割を行う移動通信端末と近距離無線通信を行うことで、移動通信を介して提供可能なデータサービスを利用可能にするものである。
【００３５】
また、本発明において開示する「モバイルウェブまたはＷＡＰサービス」と「データサービス」は、移動通信を通じて提供されるあらゆるサービスを意味し、互いに表現は異なるものの、同じ意味として適用するものとする。
【００３６】
以下、添付図面に基づき、本発明の好適な実施の形態を詳述する。
まず、図１は、本発明に係るコンテンツ提供システムと通信網との接続関係を示す図である。
同図に示すように、コンテンツ提供システムは、近距離無線通信網を介して終端端末が移動通信端末と最初に接続されることにより、終端端末の情報を当該移動通信端末と整合させて接続履歴情報として登録し、移動通信端末から送られてくる終端端末情報要請またはコンテンツ情報要請のうちいずれか一つを受信すれば、当該要請に関する返信情報を提供するＣＰＮＳ（Ｃｏｎｖｅｒｇｅｄ  Ｐｅｒｓｏｎａｌ  Ｎｅｔｗｏｒｋ  Ｓｅｒｖｉｃｅ）サーバ１００と、モバイルウェブまたはＷＡＰサービスの利用中にコンテンツ受渡要請キー信号を受信すれば、隣り合う複数の終端端末のうち少なくともいずれか一つと近距離無線通信網を介して接続されてコンテンツ受渡要請キー信号の受信時に再生した当該コンテンツを終端端末に送る移動通信端末３００と、近距離無線通信網を介して移動通信端末と情報を送受する終端端末４００と、を備える。
【００３７】
これらに加えて、コンテンツ提供システムは、ＣＰＮＳサーバ１００から送られてくるコンテンツ要請を受信すれば、コンテンツ要請と一緒に送られてくる終端端末の仕様を考慮して終端端末において再生可能なコンテンツをＣＰＮＳサーバに送るか、または、ＣＰＮＳサーバから取得した終端端末と整合された移動通信端末の番号を用いて移動通信端末に当該コンテンツを送るコンテンツ提供サーバ２００をさらに備える。
ここで、コンテンツ受渡要請は、ユーザーが移動通信端末に設けられている別途のキーまたはキーパッドの特定のキーを選択することにより行われる。
図１に示す終端端末４００とは、パーソナルマルチメディアプレーヤ（ＰＭＰ）、ＭＰ３プレーヤ、カーナビゲーション端末、携帯電話、ゲーム機などのように、近距離無線通信機能を備えた携帯用端末を意味する。
一方、近距離無線通信網は、無線ＬＡＮ、ブルートゥース、ＵＷＢ（Ｕｌｔｒａ  Ｗｉｄｅ  Ｂａｎｄ）、ＷＰＡＮ（Ｗｉｒｅｌｅｓｓ  Ｐｅｒｓｏｎａｌ  Ａｒｅａ  Ｎｅｔｗｏｒｋｓ）などをはじめとして近距離無線通信が行える通信網を網羅する。
図１に示すＣＰＮＳサーバ１００、移動通信端末３００および終端端末４００は、ＣＰＮＳサービスのための初期設定過程を経るが、この詳細については後述する。
【００３８】
図２は、本発明に係るＣＰＮＳサービスのための初期設定方法を説明するためのフローチャートである。
まず、終端端末４００は、ＣＰＮＳサービスを利用するために、ＰＮ（Ｐｅｒｓｏｎａｌ  Ｎｅｔｗｏｒｋ  Ｇａｔｅｗａｙ  Ｄｅｖｉｃｅ）の役割を果たす移動通信端末を検索する（Ｓ１０）。
次いで、終端端末４００は、ステップＳ１０において検索された移動通信端末３００にサービスを要請する。ここで、終端端末は、ＣＰＮＳ可能情報も一緒に送る（Ｓ２０）。
続けて、移動通信端末３００は、終端端末に送られてくるサービス要請を受信すれば、終端端末のＣＰＮＳサービス利用可否をチェックする（Ｓ３０）。
ステップＳ３０におけるチェックの結果、終端端末のＣＰＮＳサービスが利用可能である場合、移動通信端末３００は、終端端末４００にＣＰＮＳサービスが利用可能であるという旨の認証メッセージを送る（Ｓ４０）。
終端端末４００は、移動通信端末からＣＰＮＳサービスが利用可能であるという旨の認証メッセージを受信すれば、自分のＩＤを送る（Ｓ５０）。
移動通信端末３００は、終端端末４００から送られてくるＩＤのフォーマットがＣＰＮＳにおいて発給したＩＤフォーマットと一致するかどうかをチェックして、フォーマットが一致する場合、終端端末４００にサービスが利用可能であるという旨の認証メッセージを送る（Ｓ６０、Ｓ７０）。
続けて、移動通信端末３００は、ＣＰＮＳサーバ１００に自分と終端端末４００の認証情報およびＩＤを送る（Ｓ８０）。
ＣＰＮＳサーバ１００は、移動通信端末から送られてくる認証情報とＩＤをチェックして、ＣＰＮＳサービスの利用可否を判断する（Ｓ９０）。
もし、移動通信端末と終端端末が両方ともサービス利用可能である場合、ＣＰＮＳサーバ１００はこの旨を終端端末に報知し、次いで、コンテンツ要請をはじめとするＣＰＮＳサービスが利用できるようにする（Ｓ１００）。
もし、移動通信端末と終端端末のうちいずれか一方でもサービスが利用不可である場合、ＣＰＮＳサーバ１００はこの旨を終端端末に報知し、サービスを終了する。
一方、ステップＳ３０におけるチェックの結果、終端端末のＣＰＮＳサービスが利用不可である場合、移動通信端末３００は、終端端末４００にサービスが利用不可であるという旨のメッセージを送った後、サービスを終了する。
他方で、ステップＳ６０におけるチェックの結果、終端端末のＩＤフォーマットが一致していない場合、移動通信端末３００は、サービスが利用不可である旨のメッセージを終端端末に送った後、サービスを終了する。
上述したＣＰＮＳサーバ１００は、移動通信端末３００と近距離無線通信を介してＣＰＮＳサービスを提供される終端端末４００の仕様情報（例えば、ＬＣＤサイズ、コーデック情報などをはじめとする端末情報）と移動通信端末３００の端末情報を格納して、サービスの提供時に参照する。
例えば、ＣＰＮＳサーバ１００がコンテンツ提供サーバ２００にコンテンツを要請するとき、終端端末４００または移動通信端末３００の仕様に応じて当該コンテンツを要請する。
【００３９】
図３は、本発明に係るＣＰＮＳサーバの構成を示す図である。
同図に示すように、ＣＰＮＳサーバ１００は、通信インタフェース部１１０、移動通信端末情報管理部１２０、終端端末情報管理部１３０、履歴情報管理部１４０、コンテンツ要請・提供部１５０、終端端末情報提供部１６０およびデータベース１７０を備える。
より具体的に、通信インタフェース部１１０は、移動通信網と通信を行うための構成要素である。
移動通信端末情報管理部１２０は、近距離無線通信網を介して終端端末４００と通信を行う移動通信端末の情報をデータベース１７０に登録して管理する。
ここで、移動通信端末の情報は、近距離無線通信網を介して終端端末と情報を送受するかどうかを示す同意有無状態、提供されたサービス一覧および接続された終端端末一覧をはじめとして終端端末との通信のために要求される情報を含む。
終端端末情報管理部１３０は、近距離無線通信網を介して移動通信端末３００と情報を送受する終端端末の情報をデータベース１７０に登録・管理する。
ここで、終端端末の情報は、ハードウェア仕様およびソフトウェア仕様をはじめとして近距離無線通信網を介してコンテンツを提供するために要求される情報を含む。
履歴情報管理部１４０は、移動通信端末３００と終端端末４００との間の接続情報を収集して接続履歴情報としてデータベース１７０に格納・管理する。
コンテンツ要請・提供部１５０は、移動通信端末３００から送られてくるコンテンツ要請を受信すれば、コンテンツ要請と一緒に送られてきたコンテンツ識別情報を基にコンテンツを提供するサーバに当該コンテンツを要請・受信する。
ここで、コンテンツ要請・提供部１５０は、コンテンツ提供サーバ２００にコンテンツを要請するとき、コンテンツ名、終端端末のハードウェア仕様および終端端末のソフトウェア仕様を一緒に提供して終端端末４００において再生／ディスプレイ可能なフォーマットを選択して提供するか、または、再生／ディスプレイ可能なフォーマットに変換できるようにする。
終端端末情報提供部１６０は、移動通信端末３００の要請に応じて移動通信端末と接続可能な終端端末の一覧をデータベース１７０から取出して提供する。
データベース１７０は、移動通信端末情報、終端端末情報をはじめとしてＣＰＮＳサーバと関連する情報を格納する。
【００４０】
図４は、本発明に係る移動通信端末の構成を示す図であり、移動通信端末が近距離無線通信を介した移動通信端末と終端端末との間の接続を制御するＣＰＮＳサーバおよび近距離無線通信を介して移動通信端末から提供されるコンテンツを起動するための終端端末と無線通信網を介して接続されて、モバイルウェブまたはＷＡＰサービスの利用中にコンテンツを終端端末に受け渡す場合を例にとって説明する。
同図に示すように、移動通信端末３００は、無線通信網３１０、入力部３２０、出力部３３０、格納部３４０、コンテンツ受渡要請キー信号認識部３５０、終端端末管理部３６０、コンテンツ管理部３７０およびコンテンツ伝送部３８０を備える。
前記移動通信端末３００における近距離無線通信網または移動通信網との無線通信を行うための無線通信部３１０、入力制御のための入力部３２０、音声通話サービスやデータサービスの利用時に必要なデータを聴覚または視覚的に提供するための出力部３３０、各種のデータを格納するための格納部３４０は、移動通信端末の通常の構成であるため、その具体的な説明を省く。
コンテンツ受渡要請キー信号認識部３５０は、ユーザーによりコンテンツ受渡要請キーが選択されれば、モバイルウェブまたはＷＡＰサービスの利用中に現在起動されるコンテンツを近距離無線通信網を介して終端端末に受渡せよとの要請として認識して、以降の動作を行わせる。
ここで、コンテンツ受渡要請キーは、移動通信端末に設けられている別途のキーまたはキーパッドなどの特定のキータイプである。
終端端末管理部３６０は、ＣＰＮＳサーバ１００から接続可能な終端端末一覧を要請・受信するか、または、既に格納された接続可能な終端端末一覧を取出してユーザーが認識できるように提供する。
コンテンツ管理部３７０は、コンテンツ受渡要請が発生した当該時点で起動されていたコンテンツをＣＰＮＳサーバ１００に要請・受信する。
もし、コンテンツが移動通信端末に格納された場合、コンテンツ管理部３７０はコンテンツ伝送部３８０を介して既に格納されたコンテンツを取出してユーザーにより選択された終端端末４００に送る。
例えば、モバイルウェブまたはＷＡＰサービスとして利用していたコンテンツ情報を移動通信端末にダウンロードして格納した状態であるか、または、同じコンテンツ情報を移動通信端末の上に既に格納している状態であるか、または、ＭＰ３音源のようにコンテンツ情報の容量が比較的に大量ではないため終端端末４００へのコンテンツ受渡が容易である場合である。
コンテンツ伝送部３８０は、終端端末管理部３６０により画面上に表示した終端端末一覧からユーザーにより選択された終端端末４００にコンテンツ管理部３７０により受信されたコンテンツを送る。
【００４１】
図５は、本発明に係るコンテンツ提供サーバの構成を示す図である。
同図に示すように、コンテンツ提供サーバ２００は、移動通信網と通信を行うための通信インタフェース部２１０、様々なコンテンツをデータベースに格納して管理するコンテンツ管理部２２０、ＣＰＮＳサーバからコンテンツを再生する端末（例えば、終端端末）の情報を要請・受信する端末情報要請・受信部２３０、ＣＰＮＳサーバ１００から送られてくるコンテンツ伝送要請を受信すれば、コンテンツ伝送要請と一緒に送られてくる終端端末の仕様を基にコンテンツの形態を変換するコンテンツ変換部２４０、コンテンツ変換部により変換されるか、または、終端端末の仕様を考慮して取出されたコンテンツをＣＰＮＳサーバまたはＣＰＮＳサーバから取得した終端端末と整合された移動通信端末の番号を用いて移動通信端末に送るコンテンツ伝送部２５０およびコンテンツ情報をはじめとしてコンテンツ提供サーバと関連する情報を格納するデータベース２６０を備える。
【００４２】
図６は、本発明に係る終端端末の構成を示す図である。
同図に示すように、終端端末４００は、通信インタフェース部４１０、入力部４２０、コンテンツ要請・受信部４３０、再生部４４０および格納部４５０を備える。
より具体的に、通信インタフェース部４１０は、近距離無線通信網と通信を行うための構成要素である。
入力部４２０は、ユーザーの選択によって当該信号を受け取る。
コンテンツ要請・受信部４３０は、通信インタフェース部４１０を介して移動通信端末３００に特定のコンテンツを要請した後に、当該コンテンツを受信する。
再生部４４０は、コンテンツを起動する。
格納部４５０は、終端端末と関連する情報を格納する。
【００４３】
図７は、本発明に係るコンテンツ提供方法の一例を説明するためのフローチャートであって、ＣＰＮＳサーバにおいて移動通信端末の要請に応じてモバイルウェブまたはＷＡＰページのコンテンツを終端端末に受け渡す場合を例にとって説明する。
まず、ＣＰＮＳサーバ１００は、近距離無線通信網を介して終端端末４００が移動通信端末３００と最初に接続されることにより、終端端末の情報を当該移動通信端末と整合させて接続履歴情報としてデータベース１７０に登録する（Ｓ１０１、Ｓ１０３）。
ここで、ＣＰＮＳサーバ１００は、近距離無線通信網を介して終端端末と情報を送受するかどうかを示す同意有無状態、提供されたサービス一覧および接続された終端端末一覧をはじめとして終端端末との通信のために要求される移動通信端末情報とハードウェア仕様およびソフトウェア仕様をはじめとして近距離無線通信網を介してコンテンツを提供するために要求される終端端末の情報を登録する。
続けて、ＣＰＮＳサーバ１００は、移動通信端末３００と終端端末４００との間の接続事実を認知する度に接続履歴情報として格納して既存の履歴を更新する。換言すれば、ＣＰＮＳサーバ１００は、移動通信端末と終端端末との間の接続情報をリアルタイムにて収集して接続履歴情報に追加的に登録する。
ＣＰＮＳサーバ１００は、移動通信端末３００から送られてくるコンテンツ受渡要請に応じて、データベース１７０に既に格納された情報から移動通信端末３００と接続可能な終端端末を取出して送る（Ｓ１０５、Ｓ１０７）。
次いで、ＣＰＮＳサーバ１００は、移動通信端末３００から終端端末一覧のうちユーザーにより選択された終端端末情報を受信すれば、コンテンツ提供サーバ２００に当該終端端末の仕様情報と一緒に当該コンテンツを要請する。
ここで、ＣＰＮＳサーバ１００は、コンテンツ名、終端端末のハードウェア仕様および終端端末のソフトウェア仕様をコンテンツ提供サーバに送って終端端末において再生／ディスプレイ可能なフォーマットを選択して提供するか、または、再生／ディスプレイ可能なフォーマットに変換できるようにする。
ＣＰＮＳサーバ１００は、コンテンツ提供サーバ２００から送られてくるコンテンツを受信すれば、これを当該移動通信端末３００に送る（Ｓ１０９、Ｓ１１１）。
図示はしないが、移動通信端末３００がＣＰＮＳサーバ１００から受信したコンテンツを終端端末４００に送ることにより、ＣＰＮＳサーバ１００は移動通信端末３００を介して終端端末４００から送られてくるコンテンツ受信確認メッセージ（Ａｃｋメッセージ）を受信する。
【００４４】
図８は、本発明に係るコンテンツ提供方法の他の例を説明するためのフローチャートである。
コンテンツ提供サーバ２００は、ＣＰＮＳサーバ１００から送られてくるコンテンツ伝送要請を受信すれば（Ｓ２０１）、コンテンツ伝送要請と一緒に送られてくる終端端末の仕様を基にコンテンツのタイプを変換した後（Ｓ２０３）、変換されたコンテンツを直接的に移動通信端末３００に送るか、あるいは、ＣＰＮＳサーバ１００に送るかをチェックする（Ｓ２０５）。
ステップＳ２０５におけるチェックの結果、移動通信端末３００にコンテンツを直接的に送る場合、コンテンツ提供サーバ２００は、ＣＰＮＳサーバ１００から終端端末と整合された移動通信端末の番号を要請・受信し（Ｓ２０７）、これを用いて当該移動通信端末３００にコンテンツを送る（Ｓ２０９）。
一方、ステップＳ２０５におけるチェックの結果、ＣＰＮＳサーバ１００にコンテンツを送る場合、コンテンツ提供サーバ２００は、変換されたコンテンツをＣＰＮＳサーバに送る（Ｓ２１１）。
【００４５】
図９は、本発明に係るコンテンツ提供方法のさらに他の例を説明するためのフローチャートであって、ＣＰＮＳサーバおよび終端端末と接続された移動通信端末においてモバイルウェブまたはＷＡＰサービスの利用中にコンテンツを終端端末に受け渡す場合を例にとって説明する。
まず、移動通信端末３００は、モバイルウェブまたはＷＡＰサービスの利用中にコンテンツ受渡要請キーが選択されれば、コンテンツ受渡要請として認識する（Ｓ３０１）。
移動通信端末３００は、ＣＰＮＳサーバ１００から接続可能な終端端末一覧を要請・受信するか、または、既に格納された接続可能な終端端末一覧を取出してユーザーが認識できるように画面上に出力する（Ｓ３０３）。
ステップＳ３０３においてＣＰＮＳサーバに要請する場合、移動通信端末３００は、モバイルウェブまたはＷＡＰサービスの利用中にコンテンツ受渡要請キーが選択されれば、コンテンツ受渡要請として認識してＣＰＮＳサーバ１００に接続可能な終端端末一覧を要請する。
次いで、移動通信端末３００は、終端端末一覧のうちユーザーにより選択された終端端末と接続されて、コンテンツ受渡要請キーの入力時に起動されていたコンテンツを送る（Ｓ３０５〜Ｓ３０９）。
一方、移動通信端末３００がＣＰＮＳサーバ１００にコンテンツを要請する場合、ステップＳ３０７前に、移動通信端末３００は、ＣＰＮＳサーバ１００にコンテンツを要請・受信する。
他方で、移動通信端末にコンテンツが格納された場合、ステップＳ３０９において、移動通信端末３００は、既に格納された情報からコンテンツ受渡要請キーの入力時に起動されていたコンテンツを取出してユーザーにより選択された終端端末４００に送る。
【００４６】
このように、本発明が属する技術分野における当業者は本発明がその技術的思想や必須的特徴を変更することなく他の具体的な実施の形態として実施可能であるということが理解できるであろう。よって、上述した実施の形態はあらゆる面において例示的なものであり、限定的なものではないと理解さるべきである。本発明の範囲は前記詳細な説明よりは、後述する特許請求の範囲によって開示され、特許請求の範囲の意味および範囲、ならびにその等価概念から導き出されるあらゆる変更または変形が本発明の範囲に含まれるものと解釈さるべきである。
【産業上の利用可能性】
【００４７】
以上述べたように、本発明の近距離無線通信網を介してデータサービスを提供するためのコンテンツ提供システムおよび方法と、このためのＣＰＮＳサーバと移動通信端末は、移動通信端末上においてモバイルウェブまたはＷＡＰサービスを利用している間にユーザーが要請する特定のコンテンツを移動通信網との通信機能が設けられていない終端端末に提供する必要性が高い分野に適用して好適である。
【符号の説明】
【００４８】
１００  ＣＰＮＳサーバ
１１０、２１０  通信インタフェース部
１２０  移動通信端末情報管理部
１３０  終端端末情報管理部
１４０  履歴情報管理部
１５０  コンテンツ要請・提供部
１６０  終端端末情報提供部
１７０  データベース
２００  コンテンツ提供サーバ
２２０、３７０  コンテンツ管理部
２３０  端末情報要請・受信部
２４０  コンテンツ変換部
２５０、３８０  コンテンツ伝送部
２６０  データベース
３００  移動通信端末
３１０  無線通信部
３２０  入力部
３３０  出力部
３４０  格納部
３５０  コンテンツ受渡要請キー信号認識部
３６０  終端端末管理部
４００  終端端末
４１０  通信インタフェース部
４２０  入力部
４３０  コンテンツ要請・受信部
４４０  再生部
４５０  格納部
【図１】
0005529875.tif 000002
【図２】
0005529875.tif 000003
【図３】
0005529875.tif 000004
【図４】
0005529875.tif 000005
【図５】
0005529875.tif 000006
【図６】
0005529875.tif 000007
【図７】
0005529875.tif 000008
【図８】
0005529875.tif 000009
【図９】
0005529875.tif 000010